(57)【要約】  印刷回路基板用コネクタ（１０）であって、少なくとも１つの電気ケーブル（１３）を収容するために外側からアクセスすることができる少なくとも１つのキャビティ（１２）と、電気ケーブル（１３）を基板に接続するための手段（１４）とを備えた、絶縁材料製の筐体１１を備える、印刷回路基板用コネクタ（１０）。【選択図】  図４
2020506513.tif 000002
【特許請求の範囲】
【請求項１】
少なくとも１つの電気ケーブル（１３）を収容するための、外側からアクセスすることができる少なくとも１つのキャビティ（１２）と、前記電気ケーブル（１３）を前記基板に接続するための接続手段（１４）とを備えた絶縁材料製の筐体（１１）を具備する、印刷回路基板用コネクタ（１０）において、前記接続手段（１４）がグラブねじ（１６）を備え、前記グラブねじが、前記筐体（１１）内で締め付けられることによって、前記電気ケーブル（１３）のストランドを、前記基板のコネクタ要素に電気的に接続するための伝導材料製の電気接続要素（１７）に押し付けるようになっていることを特徴とする、コネクタ。
【請求項２】
前記筐体（１１）が、前記グラブねじ（１６）の挿入方向で測定して、１１ｍｍ未満の厚さを有することを特徴とする、請求項１に記載のコネクタ。
【請求項３】
前記筐体（１１）が、前記グラブねじ（１６）の挿入方向で測定して、７．９ｍｍに等しい厚さを有することを特徴とする、請求項１または２に記載のコネクタ。
【請求項４】
前記少なくとも１つのキャビティ（１２）内に収容されたストランド保護板（１８）を備え、前記ストランド保護板（１８）が、前記グラブねじ（１６）の先端部と前記基板に接続される前記電気ケーブル（１３）との間に介在することを特徴とする、請求項１〜３のいずれか一項に記載のコネクタ。
【請求項５】
前記ストランド保護板（１８）が、Ｃ字形に曲げられ、弾性変形可能な材料製のものであり、前記ストランド保護板が、その２つの対向する面の一方（１９ａ）に設けられた穴を備え、前記グラブねじ（１６）が、前記穴を通過して、対向する他方の面（１９ｂ）に到達し、前記他方の面を前記電気接続要素（１７）に向かって押すことを特徴とする、請求項１〜４のいずれか一項に記載のコネクタ。
【請求項６】
前記電気接続要素（１７）が、前記電気ケーブル（１３）と接触するように予め設定された１つの面と、雌型コネクタ（２０）に接続するための別の面とを備えた、Ｌ字形板によって構成されており、前記別の面が、前記基板の対応する雄型コネクタと接合するように予め設定されていることを特徴とする、請求項１〜５のいずれか一項に記載のコネクタ。
【発明の詳細な説明】
【技術分野】
【０００１】
本発明は、印刷回路基板用コネクタに関する。
【背景技術】
【０００２】
回路自体に存在する装置に電力を供給するために、ＰＣＢとしても知られる印刷回路基板を電気ケーブルに電気的に接続することを可能にする電気コネクタおよび端子板が、知られている。
【０００３】
様々なタイプのコネクタの中でも、ねじ締付システムを備えたものが知られている。
【０００４】
これらのコネクタは、通常、各々が電気ケーブルを収容するように外側からアクセスすることができる複数のキャビティを備えた、絶縁材料製の筐体によって構成される。筐体には開口部も設けられており、この開口部を通って印刷回路基板のコネクタ要素との接続が作りだされる。
【０００５】
各キャビティに対して直角にねじが存在し、ねじは、筐体の内側に向かってねじ込まれると、挿入された電気ケーブルを、基板のコネクタ要素との電気接続を担う構成要素に押し付ける。
【０００６】
これらのコネクタは、広く普及し、最大１．５ｍｍ２の断面積を備えたケーブルの配線が可能であるにもかかわらず、１１ｍｍを上回る垂直方向の空間占有によって重大な欠点を有する。
【０００７】
技術の進歩に伴い、電気デバイスを小型化し、これらをよりコンパクトにする傾向があるが、現在市販されているコネクタは、この小型化に制限を設けている。
【発明の概要】
【０００８】
本発明の狙いは、上記で示した態様の１つまたは複数において背景技術を改善することができる印刷回路基板用コネクタを提供することである。
【０００９】
この狙いの範囲内で、本発明の目的は、現在市販されているものよりも小さい寸法を有するコネクタを提案することである。
【００１０】
本発明の別の目的は、コネクタが設置されている印刷回路基板の全体の空間占有をそれによって低減するコネクタを提案することである。
【００１１】
さらに、本発明の目的は、任意の既存の解決策に代わる方法で背景技術の制限事項を克服することである。
【００１２】
本発明のさらに別の目的は、信頼性が高く、提供が比較的容易で、競争力のあるコストであるコネクタを提供することである。
【００１３】
この狙い、ならびに以下により明確になるであろうこれらおよび他の目的は、従属請求項の特徴の１つまたは複数を任意選択により備えた請求項１に記載のコネクタによって達成される。
【００１４】
本発明のさらなる特徴および利点は、添付の図面において非限定的な例として示す、本発明によるコネクタの好ましいが限定的ではない実施形態の説明からより明らかになるであろう。
【図面の簡単な説明】
【００１５】
【図１】本発明によるコネクタの上面図である。
【図２】本発明によるコネクタの側面図である。
【図３】非活性構成にある本発明によるコネクタの断面図である。
【図４】図３と同様の、活性構成にある本発明によるコネクタの断面図である。
【発明を実施するための形態】
【００１６】
引用図を参照すると、全体として参照番号１０で示す本発明によるコネクタは、少なくとも１つの電気ケーブル１３を収容するために外側からアクセスすることができる少なくとも１つのキャビティ１２と、電気ケーブル１３を印刷回路基板に接続するための手段１４とを備えた、絶縁材料製の筐体１１を備える。
【００１７】
筐体１１は、好ましくは、プラスチック材料製である。
【００１８】
図示する例では、コネクタは、基板の４つのそれぞれのコネクタ要素および４つの対応する電気ケーブル１３に接続するために、並んで配置された４つの同一のユニットを備える構成を有する。これらの数は特定の要件に応じて変わり得ることを理解されたい。
【００１９】
筐体１１は、プラスチック材料製であり、一体式のものであり、その構成は、したがって、４つの対応する電気ケーブル１３の挿入を可能にする４つのキャビティ１２を備える。キャビティ１２の各１つは、電気ケーブル１３を収容するようになっている。
【００２０】
キャビティ１２は、図２にはっきりと見え、示されており、図３および図４に断面図で示されている。
【００２１】
筐体１１には開口部１５も設けられており、この開口部１５を通って、既知の方法で、印刷回路基板のコネクタ要素との接続が作りだされる。これらのコネクタ要素は、通常、基板から突起しており、したがって、前記開口部１５のうちの各々１つに挿入可能である。これらの開口部は見えており、図１の上面図ならびに図３および図４の断面図に示されている。
【００２２】
開口部１５は、キャビティ１２と同数である。
【００２３】
接続手段１４は、好適には、各キャビティ１２に１つずつ、少なくとも１つのグラブねじ１６を備え、グラブねじ１６は、筐体１１内での締付けによって、電気ケーブル１３のストランドを、基板のコネクタ要素との電気接続のための導電材料製の要素１７に押し付けるようになっている。
【００２４】
グラブねじ１６は、電気ケーブル１３を電気接続要素１７に押し付けるために、それぞれのキャビティ１２に対して直角に筐体１１の内側に向かってねじ込まれる。
【００２５】
グラブねじ１６の数はキャビティ１２の数に等しく、各々１つが協働してそれぞれの電気ケーブル１３をロックする。
【００２６】
グラブねじ１６を使用すると、ねじのヘッドを封じ込める必要がないので、筐体１１、特に図２〜図４に参照番号２２で示すその部分の寸法を低減することが可能である。
【００２７】
筐体１１は、実際、好適には、グラブねじ１６の挿入方向に測定して１１ｍｍ未満の厚さを有する。
【００２８】
特に、筐体１１は、グラブねじ１６の挿入方向に測定して、７．９ｍｍに等しい厚さを有する。
【００２９】
コネクタ１０は、キャビティ１２内に収容されたストランド保護板１８を備え、ストランド保護板は、グラブねじ１６の先端部と電気ケーブル１３との間に介在する。
【００３０】
特に、ストランド保護板１８はＣ字形に曲げられ、弾性変形可能な材料製のものであり、その２つの対向する面の一方１９ａに設けられた穴を備え、グラブねじ１６はこの穴を通過して、締付け中、他方の対向する面１９ｂに到達し、これを電気接続要素１７に向かって押し出す。
【００３１】
図３および図４は、それぞれ非活性構成および活性構成における本発明によるコネクタ１０の断面図であり、活性構成は、グラブねじ１６の締付け後、面１９ｂが電気接続要素１７に向かって下降した状態の、ストランド保護板１８の配置に対応する。
【００３２】
同じ断面図において、電気接続要素１７が、電気ケーブル１３との接触に合わせて設計された１つの面と、導電性材料製の雌型コネクタ要素２０との接続のための別の面とを備えたＬ字形板によって構成され、別の面は、基板の対応する雄型コネクタ要素と接合するように設計されていることが、明白である。
【００３３】
明らかなことに、各キャビティ１２には、グラブねじ１６、ストランド保護板１８、電気接続要素１７および雌型コネクタ要素２０が存在する。
【００３４】
図１には、雌型コネクタ要素２０も見えている。これらには、基板から突起する雄型コネクタ要素を保持するように設計された翼２１が設けられる。
【００３５】
本発明によるコネクタの作動は、以下の通りである。
【００３６】
コネクタ要素の接合による、印刷回路基板上のコネクタの配置に続いて、グラブねじ１６は、筐体１１の内側で基板に向かって締め付けられる。
【００３７】
コネクタ１０の各ユニットにおいて、グラブねじ１６が電気接続要素１７に向かって移動すると、ストランド保護板１８が弾性変形し、ストランド保護板は、電気ケーブル１３のストランドが電気接続要素１７の板に押さえつけられるまでそれらのストランドと接触して移動される。電気接続要素および雌型コネクタ要素２０は、既知の方法で、電気ケーブル１３と基板のコネクタ要素との間に電気接続を作りだす。
【００３８】
コネクタ１０がグラブねじを備えるという事実は、筐体１１の厚さに関して、ヘッドを備えたねじの締付けに必要とされるものよりも小さい空間占有を生み出す。
【００３９】
この解決策は、７．９ｍｍに等しい高さを有するコネクタを提供することを可能にする。
【００４０】
実際には、本発明は意図された狙いおよび目的を達成し、現在市販されているものよりも小さい寸法を有するコネクタを提供し、これが設置される印刷回路基板の全体の空間占有の大幅な低減も可能にすることが見出されている。
【００４１】
このように着想された本発明は、多数の修正および変形が可能であり、それら全ては、添付の特許請求の範囲の範囲内にあり、全ての詳細は、さらに、他の技術的に等価な要素と置き換えられてもよい。
【００４２】
実際に、特定の用途に適合する限り、使用される材料、ならびに付随する形状および寸法は、要件および現況技術に応じて任意のものとすることができる。
【００４３】
本出願が優先権を主張するイタリア国特許出願第１０２０１７００００１５７９３号明細書（ＵＡ２０１７Ａ０００９２４）の開示は、参照により本明細書に組み込まれる。
【００４４】
特許請求の範囲に述べる技術的特徴の後に参照符号を付した場合、これらの参照符号は、特許請求の範囲の明瞭性を高める目的のためにのみ含まれており、したがって、そのような参照符号は、そのような参照符号によって例として特定される各要素の解釈に対するいかなる制限効果も有さない。
【図１】
2020506513.tif 000003
【図２】
2020506513.tif 000004
【図３】
2020506513.tif 000005
【図４】
2020506513.tif 000006
【国際調査報告】
2020506513.tif 000007
2020506513.tif 000008